(57)【要約】【課題】過線量時の必要以上の被曝や、線量不足時のノイズ増加による再撮影などを防ぎ、無効被爆を低減する。  【解決手段】放射線センサにより得られた放射線画像に対して、ダーク補正及びゲイン補正を行う第一の補正処理部と、第一の補正処理部により補正された放射線画像の画素値に基づいて線量指標値を算出する算出部と、第一の補正処理部により補正された放射線画像に階調変換処理を行う第二の補正処理部と、第二の補正処理部により処理された放射線画像を表示部に表示させる表示制御部と、を有し、表示制御部は、算出された線量指標値が特定範囲を外れている場合には第一の補正処理部により処理された放射線画像であってかつ第二の補正処理部により処理されていない放射線画像を表示部に表示させる。【選択図】  図２
2015093013.tif 000002
【特許請求の範囲】
【請求項１】
放射線センサにより得られた放射線画像に対して、ダーク補正及びゲイン補正を行う第一の補正処理手段と、
前記第一の補正処理手段により補正された放射線画像の画素値に基づいて線量指標値を算出する算出手段と、
前記第一の補正処理手段により補正された放射線画像に階調変換処理を行う第二の補正処理手段と、
前記第二の補正処理手段により処理された放射線画像を表示部に表示させる表示制御手段と、を有し、
前記表示制御手段は、前記算出された線量指標値が特定範囲を外れている場合には前記第一の補正処理手段により処理された放射線画像であってかつ前記第二の補正処理手段により処理されていない放射線画像を表示部に表示させることを特徴とする放射線画像処理装置。
【請求項２】
被写体を透過した放射線を検出して画像データを取得する撮影手段と、
前記画像データに画像処理を実施する画像処理手段と、
線量指標値を取得する取得手段と、
前記線量指標値が許容範囲内であるか否かを判定する判定手段と、
前記線量指標値が許容範囲外であると判定された場合に前記画像データに強調処理を実施せずに第１の画像を生成し、警告情報として表示する表示手段と
を備えることを特徴とする放射線撮影装置。
【請求項３】
前記表示手段は、前記線量指標値、前記線量指標値が許容範囲外であることを示す文字情報、予め設定されている線量の上限値及び下限値を示す情報を、前記警告情報としてさらに表示することを特徴とする請求項２に記載の放射線撮影装置。
【請求項４】
前記表示手段は、前記第１の画像を前記警告情報として一定期間表示することを特徴とする請求項２または３に記載の放射線撮影装置。
【請求項５】
前記画像処理手段は、前記線量指標値が許容範囲内であると判定された場合には、前記画像データに強調処理を実施して第２の画像を生成することを特徴とする請求項２乃至４の何れか１項に記載の放射線撮影装置。
【請求項６】
前記画像処理手段は、前記取得手段により線量指標値が取得されない場合には、前記画像データに対する入出力画素の変換処理において、入力画素値が一定の出力画素値の範囲に収まるように変換を行うことを特徴とする請求項２乃至４の何れか１項に記載の放射線撮影装置。
【請求項７】
放射線画像処理装置の制御方法であって、
第一の補正処理手段が、放射線センサにより得られた放射線画像に対して、ダーク補正及びゲイン補正を行う第一の補正処理工程と、
算出手段が、前記第一の補正処理工程により補正された放射線画像の画素値に基づいて線量指標値を算出する算出工程と、
第二の補正処理手段が、前記第一の補正処理工程により補正された放射線画像に階調変換処理を行う第二の補正処理工程と、
表示制御手段が、前記第二の補正処理工程により処理された放射線画像を表示部に表示させる表示制御工程と、を有し、
前記表示制御工程では、前記算出された線量指標値が特定範囲を外れている場合には前記第一の補正処理工程により処理された放射線画像であってかつ前記第二の補正処理工程により処理されていない放射線画像を表示部に表示させることを特徴とする放射線画像処理装置の制御方法。
【請求項８】
放射線撮影装置の制御方法であって、
撮影手段が、被写体を透過した放射線を検出して画像データを取得する工程と、
画像処理手段が、前記画像データに画像処理を実施する工程と、
取得手段が、線量指標値を取得する工程と、
判定手段が、前記線量指標値が許容範囲内であるか否かを判定する工程と、
表示手段が、前記線量指標値が許容範囲外であると判定された場合に前記画像データに強調処理を実施せずに第１の画像を生成し、警告情報として表示する工程と
を有することを特徴とする放射線撮影装置の制御方法。
【請求項９】
請求項７に記載の放射線画像処理装置の制御方法の各工程をコンピュータに実行させるためのプログラム。
【請求項１０】
請求項８に記載の放射線撮影装置の制御方法の各工程をコンピュータに実行させるためのプログラム。
【発明の詳細な説明】
【技術分野】
【０００１】
本発明は、放射線画像処理装置、放射線撮影装置、それらの制御方法及びプログラムに関し、特に適切な放射線量で撮影するための情報を撮影者に提供する技術に関する。
【背景技術】
【０００２】
近年、医用画像診断の分野におけるデジタル画像の利用が進んでいる。放射線（Ｘ線）を間接または直接電気信号に変換するセンサを使用してＸ線画像を撮影するデジタルラジオグラフィ（ＤＲ）装置は、従来の銀塩写真を用いるＸ線写真装置と比較して、極めて広いＸ線露出域にわたって画像を記録することができる。また、撮影した画像をすぐに確認できるという実用的な利点を有している。
【０００３】
従来のＸ線写真装置では、フィルムの露光量によって黒化度が変化するため、撮影部位に応じて管電圧、管電流などの撮影条件を変更し、線量を調整していた。この場合、過線量や線量不足は、写真濃度である黒化度として出力画像に直接現れるため、撮影技師は線量の調整に注意を要していた。
【０００４】
一方、ＤＲ装置では、センサに到達したＸ線量が出力画像の画素値と直接結びつくわけではない。線量の変化に対して、デジタル画像処理の１つである自動感度補正機能によって、出力画像の画素値を適切な範囲に保とうとする処理が働くため、安定した出力画像が得られる。
【０００５】
この自動感度補正機能は、ＤＲ装置のメリットであると同時に、撮影技師が不適切な線量で撮影していることに気付きにくいというデメリットでもある。線量不足の場合には、ノイズの増加となり、線量過多の場合には、診断画像としては問題ないことが多いが、被爆量は多くなってしまう。
【０００６】
これに対し、特許文献１では、撮影線量の目安となる線量指標値と、部位情報などからなるオーダが同一の場合の撮影の標準的な線量指標値との相対値である偏差指標値を算出し、表示する手法の提案がなされている。
【０００７】
この手法によれば、線量指標値と偏差指標値により、そのオーダでの適切なＸ線量であるかを撮影技師が評価することが可能となる。
【先行技術文献】
【特許文献】
【０００８】
【特許文献１】特開２００９−２６８８０１号公報
【発明の概要】
【発明が解決しようとする課題】
【０００９】
しかしながら、特許文献１の技術では、線量指標値を数値として表示しているため、線量が適切であるかどうかが直感的にはわかりにくいという課題がある。
【００１０】
上記の課題に鑑み、本発明は、不適切な線量であることを分かりやすい形態で表示し、撮影技師に気付かせることにより、線量過多による必要以上の被曝や、線量不足によるノイズ増加による再撮影などを防ぎ、無効被爆を低減することを目的とする。
【課題を解決するための手段】
【００１１】
上記の目的を達成する本発明に係る放射線画像処理装置は、
放射線センサにより得られた放射線画像に対して、ダーク補正及びゲイン補正を行う第一の補正処理手段と、
前記第一の補正処理手段により補正された放射線画像の画素値に基づいて線量指標値を算出する算出手段と、
前記第一の補正処理手段により補正された放射線画像に階調変換処理を行う第二の補正処理手段と、
前記第二の補正処理手段により処理された放射線画像を表示部に表示させる表示制御手段と、を有し、
前記表示制御手段は、前記算出された線量指標値が特定範囲を外れている場合には前記第一の補正処理手段により処理された放射線画像であってかつ前記第二の補正処理手段により処理されていない放射線画像を表示部に表示させることを特徴とする。
【発明の効果】
【００１２】
本発明によれば、不適切な線量で撮影していることを分かりやすい形態で表示し、撮影技師に気付かせることにより、過線量時の必要以上の被曝や、線量不足時のノイズ増加による再撮影などを防ぎ、無効被爆を低減することができる。
【図面の簡単な説明】
【００１３】
【図１】放射線撮影システムの構成の一例を示すブロック図。
【図２】本発明の実施形態に係る放射線撮影装置の機能構成例を示すブロック図。
【図３】第１実施形態に係る放射線撮影装置による警告情報表示の一例を示す図。
【図４】第１実施形態に係る放射線撮影装置が実施する処理の手順を示すフローチャート。
【図５】第１実施形態に係る放射線撮影装置による感度補正を行わない画像の生成方法を説明するための図。
【図６】第２実施形態に係る放射線撮影装置が実施する処理の手順を示すフローチャート。
【図７】第３実施形態に係る放射線撮影装置による階調処理の入力画素値から出力画素値への変換処理に使用されるルックアップテーブルの入出力画素値の関係を示す図。
【発明を実施するための形態】
【００１４】
以下、添付の図面を参照して、本発明の実施の形態について説明する。
【００１５】
（第１実施形態）
図１を参照して、放射線撮影システムの構成の一例を説明する。放射線発生装置２０は、放射線を発生する機能を有する。放射線撮影装置１０は、撮影部１０１、撮影表示制御部１０２を有し、被写体３０を透過した放射線を画像データに変換し、表示部４０へ出力する。表示部４０は液晶ディスプレイなどであり、放射線撮影装置から出力された画像を表示する。線量計５０は、放射線量を測定する。
【００１６】
放射線撮影装置内の、撮影部１０１は、透過した放射線信号を検出して電気信号に変換し、画像データを出力する。撮影表示制御部１０２は、ＣＰＵ１０２１、メモリ１０２２、ＤＩＳＫ１０２３、表示制御部１０２４、入力部１０２５、ＢＵＳ１０２６を有し、撮影部の制御、表示内容の生成、表示部の制御を行う。
【００１７】
撮影表示制御部内の、ＣＰＵ１０２１はマイクロプロセッサであり、撮影制御処理、画像処理、表示情報生成処理などのための演算、論理判断等を行い、バスに接続された各デバイスを制御する。
【００１８】
メモリ１０２２は、読み書き可能なランダムアクセスメモリであって、主記憶として各デバイスからの各種データの一時記憶に用いられる。メモリ１０２２には処理に必要なデータを記憶する各種ワーク領域、処理中に必要なスタック、処理中に値変更が行われる各種データが格納される。
【００１９】
ＤＩＳＫ１０２３は大量記憶装置であり、大量のデータを変更可能に記憶する。ＤＩＳＫ１０２３は例えばハードディスク等で構成される。ＣＰＵ１０２１により実行される制御プログラムや各種初期データをＤＩＳＫ１０２３に格納する構成としてもよい。この場合、制御プログラムや各種初期データは、必要に応じてメモリ１０２２に示す主記憶にロードされ、実行或いは参照されることになる。
【００２０】
表示制御部１０２４は、表示部の画像表示内容を制御する。入力部１０２５はキーボード、ボタン、タッチパネル等であり、オペレータが各種の入力指示を行う。ＢＵＳ１０２６はバスであり、ＣＰＵ１０２１の制御対象である各デバイスを指示するアドレス信号、コントロール信号を転送する。また、各デバイス間のデータ転送を行う。
【００２１】
撮影表示制御部１０２としては、パーソナルコンピュータなどに制御ソフトウェアをインストールした構成を想定しているが、専用のハードウェアユニットを用いても良い。また、放射線撮影装置内の撮影部１０１、撮影表示制御部１０２が別体にて構成されているが、別体に限るわけではなく、撮影部１０１内に撮影表示制御部１０２の機能の一部を内蔵することも可能である。
【００２２】
図２を参照して、本発明の実施形態に係る放射線撮影装置の機能構成例を説明する。放射線撮影装置１０は、撮影部１１１と、線量指標値取得部１１２と、線量指標値判定部１１３と、警告情報生成部１１４と、画像処理部１１５と、表示制御部１１６とを備えている。各処理部の動作は、図１のＣＰＵ１０２１等により実行、制御される。
【００２３】
撮影部１１１は、物体を透過した放射線信号を検出して電気信号に変換し、画像データを出力する。線量指標値取得部１１２は、画像データから線量指標値を取得する。線量指標値の例としては、ＩＥＣ６２４９４−１で規定されている撮影部表面の照射線量に比例する値の指標であるＥＩ値などがある。線量指標値の取得方法については、後述する。また、第一の補正処理部として機能する後述の画像処理部１１５により補正された放射線画像の画素値に基づいて線量指標値を算出してもよい。
【００２４】
線量指標値判定部１１３は、線量指標値取得部１１２により取得された線量指標値が許容範囲内であるか否かを判定する。今回の撮影において線量指標値取得部１１２で取得した線量指標値が、予め設定された一定の許容範囲内の値であるか否かを判定する。
【００２５】
警告情報生成部１１４は、線量指標値判定部１１３により線量指標値が許容範囲外であると判定された場合に、警告情報を生成する。画像処理部１１５は、撮影部１１１から入力された画像データにデジタル画像処理を施し、診断に適した画像に変換する。表示制御部１１６は、画像処理部１１５により画像処理された画像および警告情報生成部１１４により生成された警告情報からユーザに提示する画面を生成し、図１の表示部４０で表示する画面の表示状態を制御する。
【００２６】
ここで、警告情報生成部１１４が生成する警告情報について説明する。線量指標値判定部１１３が今回撮影された画像の線量指標値が適切な線量の範囲外であると判定した場合に、ユーザにその旨を警告するための情報である。デジタルラジオグラフィ（ＤＲ）装置等の放射線撮影装置は、通常、線量がある程度変化しても安定した画像を出力するために、画像処理部１１５が有する画像処理機能の１つである自動感度補正機能によって、出力画像の画素値を適切な範囲に保つ処理を行う。通常、表示制御部１１６では、その自動感度補正機能を有効にして処理した画像を表示するように制御する。この自動感度補正機能が働くため、ユーザは、画像を見ただけでは、適正な線量であるか否かを判断するのは難しい。
【００２７】
これに対し、線量指標値判定部１１３により今回撮影された画像の線量指標値が適切な線量の範囲外であると判定された場合に、画像処理部１１５は、強調処理を実施しない第１の画像を生成し、警告情報生成部１１４は当該第１の画像を警告情報の一部として使用する。ここで、強調処理（階調処理、ダイナミックレンジ圧縮処理、鮮鋭化処理、ＭＴＦ改善処理）とは、各撮影部位を診断するための画像を得る処理であり、撮影部位依存で処理を変えるものである。また、ダーク補正、ゲイン補正、欠陥補正とは、放射線センサの特性を補正するための処理であり、かつ撮影部位や照射条件によらない処理である。
【００２８】
画像処理部１１５は、放射線センサにより得られた放射線画像に対して、ダーク補正及びゲイン補正を行う第一の補正処理部、第一の補正処理部により補正された放射線画像に階調変換処理を行う第二の補正処理部としての機能を有する。
【００２９】
表示制御部１１６は、第二の補正処理部として機能する画像処理部１１５により処理された放射線画像を表示部に表示させる。表示制御部１１６は、算出された線量指標値が特定範囲を外れている場合には第一の補正処理部として機能する画像処理部１１５により処理された放射線画像であってかつ第二の補正処理部として機能する画像処理部１１５により処理されていない放射線画像を表示部に表示させる処理を行う。
【００３０】
以上放射線撮影装置１０について説明したが、放射線撮影装置１０の構成から撮影部を除いて放射線画像処理装置として構成してもよい。
【００３１】
図３は、警告情報生成部１１４が生成する警告情報表示の一例を示す。ユーザに対して線量指標値が許容範囲外であることを伝える文字情報に加えて、強調処理を実施しない第１の画像を表示する。具体的には、図２に示すように、「警告」「線量指標値が許容範囲を超えています。」といった文字情報３０１と、今回の撮影において線量指標値取得部１１２により取得された線量指標値３０２と、予め設定されている線量の上限値及び下限値を示す情報３０３と、強調処理を実施しない場合の画像３０４と、自動強調処理を施さない場合、画像３０４のような画像になる旨を示す文字情報３０５とが表示される。なお、これらの情報はすべてが表示される必要はなく、少なくとも画像３０４を含む何れかが表示されていればよい。
【００３２】
次に、図１の線量指標値取得部１１２で取得する線量指標値の取得方法の一例として、撮影部１１１から得る画像データを用いる方法について説明する。取得した画像データの中で、医師による画像診断にとって重要な部分である関心領域を特定する。この関心領域は、画像の種類に依らず、画像の中心部分を選択する方法や、画像の部位に依って関心領域を変更する方法、画像データから照射領域、被写体領域を解析して関心領域を特定する方法などがある。例えば、画像の部位によって関心領域を変更する方法として、正面胸部画像の場合、右肺部と左肺部の位置を関心領域として設定する。
【００３３】
次に、関心領域の画像データの画素値から透過線量を算出する。この場合に透過線量は、必ずしも絶対値である必要はなく、透過線量と相関のある指標値であってもよい。例えば、関心領域の画像データの平均値に基づいて、透過線量を算出し、これを線量指標値とする。以上では、画像データから線量指標値を取得する方法について述べたが、図１に示した線量計５０から線量値を取得して、線量指標値としても良い。
【００３４】
次に図４のフローチャートを参照して、第１実施形態に係る放射線撮影装置が実施する処理の手順を説明する。ステップＳ４０１において、線量指標値判定部１１３は、線量指標値取得部１１２から、今回撮影された画像の線量指標値を取得する。
【００３５】
ステップＳ４０２において、線量指標値判定部１１３は、予め設定されている線量指標値の許容範囲の上限値と、今回の撮影での線量指標値とを比較し、今回の線量指標値の方が大きいか否かを判定する。今回の線量指標値が上限値より大きいと判定された場合には、ステップＳ４０４へ進む。一方、今回の線量指標値が上限値以下であると判定された場合には、ステップＳ４０３へ進む。
【００３６】
ステップＳ４０３において、線量指標値判定部１１３は、予め設定されている線量指標値の許容範囲の下限値と、今回の撮影の線量指標値とを比較し、今回の線量指標値の方が小さいか否かを判定する。今回の線量指標値が下限値より小さいと判定された場合には、ステップＳ４０４へ進む。一方、今回の線量指標値が下限値以上であると判定された場合には、処理を終了する。
【００３７】
ステップＳ４０２、ステップＳ４０３の判定処理の後ステップＳ４０４へ進むのは、今回の撮影の線量指標値が許容範囲外であると判定された場合であり、以下のステップで警告情報を表示する。
【００３８】
ステップＳ４０４において、画像処理部１１５は、線量指標値を許容範囲外であることを示す情報を線量指標値判定部１１３から取得し、強調処理を実施しない第１の画像を生成する。感度補正を行わない画像の生成方法の詳細は図５を参照しながら後述する。
【００３９】
ステップＳ４０５において、警告情報生成部１１４は、ステップＳ４０４で生成された強調処理を実施しない第１の画像を警告情報の一部として使用し、表示制御部１１６を介して表示する。図３の画像３０４がその一例である。さらに図３で説明した文字情報３０１、線量指標値３０２、予め設定されている線量の上限値及び下限値を示す情報３０３、及び文字情報３０５の少なくとも何れを表示してもよい。以上で図４のフローチャートの各処理が終了する。
【００４０】
ここで図５を参照して、強調処理を行わない画像の生成方法の詳細を説明する。通常、画像処理部１１５では、ＤＲセンサの固有の諸特性を補正するため、まず、オフセット補正処理、ゲイン補正処理等の前処理を行う。次に、画像を解析し、被写体領域等の解析情報を取得する。その後、解析情報を使用して、前処理後の画像データに対して、周波数強調処理、ダイナミックレンジ圧縮処理、階調変換処理等のＱＡ処理を行う。
【００４１】
図５（ａ）は、解析処理で有効な被写体と判定した部分の画素値の分布の例である。通常のＤＲの画像処理では、図５（ａ）に示されるように入力画素値の一定範囲内に有効な画素値が多く分布している場合には、その入力画素値範囲に多くの出力画素値を割り当てる処理を行う。
【００４２】
また、図５（ｂ）は、感度補正として階調処理を実施する場合に、入力画素値に対する出力画素値を割り当てる変換処理に用いるルックアップテーブルの入出力画素値の関係を示した図である。図５（ａ）に示すような入力画素値の分布があった場合、その分布している画素値に多くの出力画素値を割り当てるために、５０２の破線で示したようにその部分の傾きを大きくする。
【００４３】
一方、強調処理をしない場合の処理例の１つとしては、５０１の実線で示したように、入力画素値分布を考慮しないリニアな変換処理を行う。
【００４４】
強調処理をしない処理の別の例として、放射線写真装置でのフィルム特性に近づける変換処理がある。図５（ｃ）の５０３は、フィルムの露光量による黒化度変化を模した特性のルックアップテーブルであり、階調処理にこのテーブルを用いて、フィルムに近い画像を生成する。
【００４５】
図４、図５の一連の処理により、線量指標値が不適切な可能性がある場合に、感度補正を実施しない第１の画像を警告情報として表示する。感度補正を行わない画像は、従来の放射線写真装置で撮影した画像に近い画像となり、線量の過不足が画像に直接的に表れるため、ユーザにとって線量の過不足を判断しやすく、線量の確認を促す効果が大きくなる。
【００４６】
以上説明したように、本実施形態に係る放射線撮影装置によれば、不適切な線量で撮影していることを警告情報として理解しやすい形態で表示し、撮影技師に気付かせることができる。よって、線量過多時の必要以上の被曝や、線量不足時のノイズ増加による再撮影などを防ぎ、無効被爆を低減することができる。
【００４７】
なお、本実施形態では放射線撮影装置について説明したが、放射線画像データから線量指標値を取得して、当該線量指標値が許容範囲外である場合に、感度補正をしない第１の画像を警告情報として表示する情報処理装置に本実施形態を適用してもよい。
【００４８】
（第２実施形態）
第２実施形態では、線量指標値が許容範囲外と判定された場合に、強調処理を実施しない画像を一定期間表示する例を説明する。以下、第１実施形態との差異を中心に説明する。本実施形態に係る放射線撮影装置の構成は、図１、図２で説明した構成と同様である。
【００４９】
図６のフローチャートを参照して、第２実施形態に係る放射線撮影装置が実施する処理の手順を説明する。
【００５０】
ステップＳ６０１−ステップＳ６０４の各処理は、それぞれ図４のステップＳ４０１−ステップＳ４０４の各処理と同様であるため、詳細な説明については省略する。
【００５１】
ステップＳ６０２、ステップＳ６０３の判定処理において、今回の撮影の線量指標値が許容範囲外であると判定された場合、ステップ６０４へ進む。一方、線量指標値が許容範囲内であると判定された場合、ステップＳ６０６へ進む。
【００５２】
ステップＳ６０６、ステップＳ６０７の一連のステップは、線量が適切な場合の通常のＤＲの画像処理、画像表示のステップである。
【００５３】
ステップＳ６０６において、画像処理部１１５は、強調処理を含めた画像処理を実施し、表示用画像（第２の画像）を生成する。ステップＳ６０７において、表示制御部１１６は、その画像を表示し、処理を終了する。
【００５４】
一方、ステップＳ６０４、ステップＳ６０５、ステップＳ６０７の一連のステップは、線量が不適切な可能性がある場合の画像処理、画像表示のステップである。ステップＳ６０４において、画像処理部１１５は、線量指標値を許容範囲外であることを示す情報を線量指標値判定部１１３から取得し、強調処理を実施しない第１の画像を生成する。また強調処理を実施した画像（第２の画像）も併せて生成しておく。
【００５５】
ステップＳ６０５において、表示制御部１１６は、ステップ６０４で生成された強調処理を実施しない第１の画像を、一定期間表示する。その後、ステップＳ６０７において、表示制御部１１６は、強調処理を実施した画像を表示する。
【００５６】
以上説明したように、線量指標値が不適切な可能性がある場合に、感度補正を実施しない画像を一定期間表示する。感度補正を行わない画像は、従来の放射線写真装置で撮影した画像に近い画像となり、線量の過不足が画像に直接的に表れるため、ユーザにとって線量の過不足を判断しやすく、線量の確認を促す効果が大きくなる。
【００５７】
以上説明した本実施形態に係る放射線撮影装置によれば、不適切な線量で撮影していることを理解しやすい形態で表示し、撮影技師に気付かせることができる。よって、線量過多時の必要以上の被曝や、線量不足時のノイズ増加による再撮影などを防ぎ、無効被爆を低減することができる。
【００５８】
（第３実施形態）
第３実施形態では、線量指標値を取得できない場合には、画像データに強調処理を実施しない画像の階調処理の入出力画素変換処理のルックアップテーブルの傾きを小さくする例を説明する。以下、第１実施形態との差異を中心に説明する。本実施形態に係る放射線撮影装置の構成は、図１、図２で説明した構成と同様である。
【００５９】
図７は、階調処理を実施する場合に、入力画素値から出力画素値への変換処理に用いるルックアップテーブルの入出力画素値の関係を示した図である。通常が７０１の実線で示すような傾きであったとする。線量指標値を取得できない場合には、７０２の破線で示すように傾きを小さくする。被写体の解析に失敗するなど線量指標値取得ができないような線量が不適切な場合にも、広いレンジの入力画素値を視認性の高い中央値付近に集めることが可能となり、線量の過不足を判断しやすい画像を提供することが可能となる。すなわち、線量指標値が取得されない場合には、画像データに対する入出力画素変換処理において、入力画素値が一定の出力画素値の範囲に収まるように変換を行うように構成する。
【００６０】
以上説明したように、本実施形態に係る放射線撮影装置によれば、不適切な線量で撮影していることを視認しやすい形態で表示し、撮影技師に気付かせることができる。よって、過線量時の必要以上の被曝や、線量不足時のノイズ増加による再撮影などを防ぎ、無効被爆を低減することができる。
【００６１】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2015093013.tif 000003
【図２】
2015093013.tif 000004
【図３】
2015093013.tif 000005
【図４】
2015093013.tif 000006
【図５】
2015093013.tif 000007
【図６】
2015093013.tif 000008
【図７】
2015093013.tif 000009